(57)【特許請求の範囲】
【請求項１】
入力装置を介して入力されたユーザを指定した各種指示に応じて各種処理を実行し、表示装置を前記指定されたユーザの占有状態に制御すると共に、その処理に関する表示情報を前記占有状態の表示装置に表示出力する計算機における前記表示装置を占有するユーザを切換える計算機の表示占有ユーザ切換装置において、
前記計算機の主記憶部に形成され、前記各ユーザに対して割当てられた複数の作業領域と、
前記ユーザを指定した各種指示が入力されると、この各種指示に応じた各種処理を実行するための作業領域を該当ユーザに割当てられた作業領域に指定する領域指定手段と、
前記入力装置を介してユーザを指定した占有ユーザの切換指令が入力されると、前記表示装置の占有先を前記指定されたユーザに割当てられた作業領域に切換える占有ユーザ切換手段と、
前記計算機に接続された補助記憶装置内に形成された退避領域と、
前記入力装置を介してユーザを指定した占有ユーザの切換指令が入力されると、前記表示装置を占有中の作業領域の処理情報を前記退避領域へ退避させ、この退避領域に退避している該当ユーザの処理情報を該当ユーザの作業領域へ復帰させる退避／復帰手段と
を備えた計算機の表示占有ユーザ切換装置。
【発明の詳細な説明】
【０００１】
【発明の属する技術分野】
本発明は、複数のユーザが使用する計算機（コンピュータ）に係わり、特に、表示装置をこの計算機を現在使用しているユーザに占有させるようにした計算機の表示占有ユーザ切換装置に関する。
【０００２】
【従来の技術】
一般に、複数のユーザが自由に使用可能な計算機においては、図１２に示すように、ユーザ１が計算機を使用する場合、キーボード等の入力装置２からログイン操作を行ってコンピュータ本体の主記憶部３内に作業領域４を確保する。そして、この作業領域４内においてユーザ１が指定した各種指示に応じて各種処理を実行する。そして、この処理の実行過程で生じる表示情報をＣＲＴ表示装置等の表示装置５に表示出力する。
【０００３】
このように、作業領域４内における処理と表示装置５に表示する表示情報とは密接に対応しているので、結果的に、一人のユーザ１に対して表示装置４が割当てられて該当計算機の使用が開始される。
【０００４】
前述したように、ユーザ１と表示装置５と表示情報とを切り離すことができないので、図１２に示すように、表示装置５とユーザ１は入力装置２を介して１対１の関係となる。このため、表示装置５は作業領域４内の表示情報を写像しているに過ぎないにも係わらず、表示装置５は入力装置２を使用している一人のユーザ１に占有されることになる。
【０００５】
【発明が解決しようとする課題】
しかしながら、図１２に示すように、表示装置４がこの計算機を現在使用している一人のユーザ１に占有されるシステムにおいては、まだ解消すべき次のような課題があった。
【０００６】
すなわち、主記憶部３内に形成された作業領域４で作成され、この作業領域４内に一時記憶されている表示情報は現在表示装置５に表示している内容である。当然、この表示情報は表示装置５と切離すことができないため、ユーザ１が表示装置５の使用を終了したり、中断する場合には、ユーザ１は主記憶部３内に形成した作業領域４自体の使用を放棄しなければならない。
【０００７】
しかし、この主記憶部３の作業領域４内には、前述した表示情報やユーザ１が使用しているウインドウシステムやアプリケーシヨン・プログラムが含まれているので、ユーザ１が表示装置５を解放するということは、計算機全体の使用を終了することを意味する。
【０００８】
なお、一般に、ウインドウシステムにおいてはーつの表示画面上、に複数のユーザシエル（ユーザが入力装置から入力した各種指示を解釈して各種プログラムを実行させるためのユーザとＯＳとの間のソフトウェア・インタフェース）をウインドウとして同居させることができるが、これはあくまでも同一ウインドウシステム上で複数の業務（アプリケーシヨン・プログラム）が動作しているに過ぎない。
【０００９】
さらに、セキュリティの面からも複数のユーザが同一ウインドウシステムを勝手に操作できることになるので問題がある。
したがって、複数のユーザがそれぞれ独立して重用な業務を実行するための計算機においては、複数のユーザが同一ウインドウシステムを共通で使用できないようにシステムが構築されているのが一般的である。
【００１０】
このような計算機においては、新たなユーザがウインドウシステム上で動作するアプリケーシヨン・プログラムを使用するためには前のユーザが使用しているウインドウシステムを終了させた後に、新たに自分の例えばパスワード等を用いて、キーボード等の入力装置２からログイン操作を行ってウインドウシステムを立上げて、この新たなウインドウシステム上で自己のアプリケーシヨン・プログラムを起動させる必要がある。
【００１１】
なお、一旦、自己のパスワードでウインドウシステムを立上げると、このウインドウシステムの機能を用いて複数のアプリケーシヨン・プログラムを並列的に実行させるマルチタスク機能をこの計算機に発揮させることは容易に可能である。
【００１２】
このように、ユーザ１が交代する毎に、アプリケーション・プログラムのみならずウインドウシステムも終了させて、また再起動させる計算機においては、例えば、一人のユーザがこの計算機を長期間使用中に、他のユーザが少しの時間だけこの計算機を使用したいと要求された場合においては、実行中の業務を途中で強制終了させると、また最初からやり直す必要があるので、この要求には応じられない問題かある。
【００１３】
また、ユーザが必要とする処理業務のなかには、データを印字出力するのみやデータを送信するのみ等の表示装置５を必要としないものがある。しかし、このような表示を必要としない業務であっても、必ず表示装置５が該当ユーザの占有下に制御される。そのために、この表示装置５を使用していない期間においても、他のユーザはこの計算機を使用できない問題がある。
【００１４】
本発明はこのような事情に鑑みてなされたものであり、表示装置を占有するユーザを任意に変更可能とすることによって、ユーザ相互間のセキュリティを確保した状態で、複数のユーザが自己の実行途中の業務を強制終了させることなく、必要な時に他のユーザに表示装置の占有権を与え、該当ユーザの業務終了によって元のユーザの業務に簡単に復帰することができ、計算機の操作性を向上できると共に、計算機を効率的に使用できる計算機の表示占有ユーザ切換装置を提供することを目的とする。
【００１５】
【課題を解決するための手段】
本発明は、入力装置を介して入力されたユーザを指定した各種指示に応じて各種処理を実行し、表示装置を指定されたユーザの占有状態に制御すると共に、その処理に関する表示情報を占有状態の表示装置に表示出力する計算機における表示装置を占有するユーザを切換える計算機の表示占有ユーザ切換装置に適用される。
【００１６】
そして、上記課題を解消するために、本発明においては、計算機の主記憶部に形成され、各ユーザに対して割当てられた複数の作業領域と、ユーザを指定した各種指示が入力されると、この各種指示に応じた各種処理を実行するための作業領域を該当ユーザに割当てられた作業領域に指定する領域指定手段と、入力装置を介してユーザを指定した占有ユーザの切換指令が入力されると、表示装置の占有先を指定されたユーザに割当てられた作業領域に切換える占有ユーザ切換手段とを備えている。
さらに、計算機に接続された補助記憶装置内に形成された退避領域と、入力装置を介してユーザを指定した占有ユーザの切換指令が入力されると、表示装置を占有中の作業領域の処理情報を退避領域へ退避させ、この退避領域に退避している該当ユーザの処理情報を該当ユーザの作業領域へ復帰させる退避／復帰手段とを備えている。
【００１７】
このように構成された計算機の表示占有ユーザ切換装置においては、計算機の主記憶部には各ユーザ毎に作業領域が形成されている。したがって、ユーザを指定した各種指示が入力されると該当ユーザに割付けられた作業領域で処理が実行される。また、ユーザは表示装置をどの作業領域へ切換するかを任意に設定できる。
【００１８】
この場合、表示装置が他の作業領域に切換えられた元の作業領域で実行されている業務は強制終了させる必要がないので、処理動作を一時中断させておけばよい。そして、他のユーザが表示装置を用いた処理が終了すると、表示装置の占有先を自己の作業領域に戻して、中断した表示動作を含む処理動作を継続できる。
【００１９】
また、表示動作を伴わない処理動作の場合は、たとえ表示装置の占有先が他の作業領域に移行したとしても、該当処理動作をバックタスクとしてそのまま継続できる。
【００２１】
さらに、表示装置の占有ユーザの切換指令が入力されると作業領域の処理情報が外部の補助記憶装置の退避領域へ退避され、この退避領域に退避されていた指定ユーザの処理情報が主記憶部の該当ユーザの作業領域へ復帰する。
【００２２】
したがって、表示装置が他の作業領域に切換えられた元の作業領域で実行されている業務は例えば外部のＨＤＤ等の補助記憶装置上の退避領域へ退避されるので、バックタスクは実行できないが、主記憶部の退避された後の作業領域を他の業務に使用できる。
【００２５】
【発明の実施の形態】
以下本発明の各実施形態を図面を用いて説明する。
（第１実施形態）
図１は本発明の第１実施形態の表示占有ユーザ切換装置が組込まれた計算機を示す模式図である。
【００２６】
１番からｎ番までのユーザ指定番号が付されたｎ人の各ユーザ１１は、それぞれキーボード等の入力装置２からログイン操作を行ってコンピュータ本体の主記憶部１３をアクセス可能である、コンピュータ本体の主記憶部１３内には、ＯＳ（オペレーティング・システム）からなり、入出力管理、ファイル管理、プロセス管理等の通常のＯＳ業務を実行するコアシステム１４、ユーザ１１の管理や表示装置の占有管理等を実行するＯＳからなるユーザ管理プロセス１５が組込まれている。
【００２７】
さらに、コンピュータ本体の主記憶部１３内には、前述した１番からｎ番までの各ユーザ１１に対応する１番からｎ番まてのｎ個の作業領域１６が形成されている。そして、このコンピュータ本体に対して、例えばＣＲＴ表示装置等の表示装置１７が接続されている。
【００２８】
前記主記憶部１３内に形成された各作業領域１６内には、図２に示すように、ユーザ１１が入力装置１２を介して入力した各種指令（指示）を解釈して該当プログラムを実行させるためのユーザシェル１８が設定される。また、この作業領域１６内にはユーザシェル１８にて実行されるウインドウシステム１９と、このウインドウシステム１９上で実行される複数種類のアプリケーション・プログラム２０が格納される。さらに、この作業領域１６内には前記各アプリケーション・プログラム２０の実行過程で必要に応じて作成される表示情報２１が記憶される。
【００２９】
なお、主記憶部１３内に形成された各作業領域１６のユーザシエル１８及び各アプリケーション・プログラム２０、ウインドウシステム１９は各ユーザ１１の指示に従ってこの作業領域１６内に取込まれ、表示情報２１は各プログラム２０の処理の過程に従って、表示装置１７に表示されると共に、順次更新されていく。
【００３０】
また、前記ユーザ管理プロセス１５は、図３に示す流れ図に従って、入力処理及び表示装置１７に対する占有ユーザの切換処理を実行する。
Ｓ（ステップ）１にて、入力装置１２を介して任意のユーザ１１からユーザを指定した各種情報が入力されると、その入力情報の種類を調べる（Ｓ２）。ユーザを指定した表示装置１７の占有ユーザの切換指令の場合、Ｓ３へ進み、該当ユーザは今回新規に入力情報を入力したか否かを調べる。今回新規に入力情報を入力した場合は、このユーザ１１に対して予め割当てられている主記憶部１３の作業領域１６に対して、前述したウイントウシステム１９や指定業務の各アプリケーション・プログラム２０を含むユーザシェル１８を設定する（Ｓ４）。
【００３１】
また、Ｓ３にて、既に作業領域１６に該当ユーザ１１の指定業務のユーザシェル１８が設定済みの場合は、Ｓ５にて、切換先のユーザ１１の作業領域１６のユーザシェル１８にプログラム制御を移す。
【００３２】
次に、表示装置１７の占有先（接続先）を前のユーザ１１の作業領域１６から今回の占有切換先のユーザ１１の作業領域１６へ変更する（Ｓ６，Ｓ７）。そして、表示装置１７の表示内容を一旦クリア（リフレッシュ）して（Ｓ８）、Ｓ１へ戻り、変更後のユーザ１１による次の指示入力を待つ。
【００３３】
また、入力装置１２を介してユーザ１１から入力された入力指示が占有ユーザの切換指示ではなくて、通常の業務実行に関する指示や情報であれば、Ｓ９にて該当指示や情報を該当ユーザ１１に割当てらた作業領域１６のユーザシェル１８へ渡す。
【００３４】
このように構成された計算機の表示占有ユーザ切換装置の具体的動作を図４、図５、図６を用いて説明する。
図４においては、現在時点で、１番のユーザ１１が主記憶部１３の１番の作業領域１６のユーザシェル１８を用いて該当ユーザが指定する処理を実行中であり、この処理過程で生じる表示情報を、この１番の作業領域１６に接続された（占有中の）表示装置１７に表示している。したがって、この状態においては、２番と３番の各作業領域１６の各ユーザシェル１８は待機中である。
【００３５】
そして、１番のユーザ１１が２番のユーザ１１を切換先に指定した表示装置１７の占有ユーザの切換指示を入力装置１２を介してコンピュータ本体へ入力すると、ユーザ管理プロセス１５が起動して、これ以降、入力装置１２を介して入力される各種指示や情報の受渡し先の作業領域１６を１番の作業領域１６から２番の作業領域１６へ切換える。
【００３６】
このとき、２番のユーザ１１がログインしていなければ、２番の作業領域１６内に２番のユーザ１１のための新たなユーザシェル１８を作成する。その結果、この状態においては、２番の作業領域１６が稼働状態となり、１番と３番の各作業領域１６の各ユーザシェル１８は待機中となる。この場合、１番の作業領域１６のユーザシェル１８の処理は強制終了させる必要はなく、処理の実行途中状態で中断したままであってもよい。
【００３７】
同時に、表示装置１７に表示している１番のユーザ１７の表示情報２１を２番のユーザ１１の表示情報２１、すなわち、２番の作業領域１６で作成された表示情報２１に切換える。したがって、結果的に、ユーザ１１側から見て、表示装置１７を占有するユーザ１１が１番のユーザ１１からの２番のユーザ１１に切換わることになる。
【００３８】
図５は、表示装置１７を占有するユーザ１１が１番のユーザ１１からの２番のユーザ１１に切換った図４の状態から、２番のユーザ１１の業務が終了して、表示装置１７を占有するユーザ１１を２番のユーザ１１から１番のユーザ１１に戻す場合の手順を示す。
【００３９】
この場合、２番のユーザ１１から１番のユーザ１１を切換先に指定した表示装置１７の占有ユーザの切換指示を入力装置１２を介してコンピュータ本体へ入力すると、ユーザ管理プロセス１５が起動して、これ以降、入力装置１２を介して入力される各種指示や情報の受渡し先の作業領域１６を２番の作業領域１６から１番の作業領域１６へ切換える。また、表示装置１７に表示している２番のユーザ１１の表示情報２１を１番のユーザ１１の表示情報２１に切換える。
【００４０】
１番の作業領域１６には、前回の処理途中の中断状態が記憶されているので、中断状態を解除して前回の処理の続きを継続する。
このように、他のユーザ１１に切換えられた元のユーザ１１の作業領域１６は中断状態のままで、主記憶部１３内にそのまま待機状態で残留しているので、他のユーザ１１の業務が終了した時点で、直ちに元の業務にて復帰できる。
【００４１】
図６は、複数のユーザ１１が一つの計算機を時分割で使用する場合の表示装置１７の占有ユーザ１１の切換指令の操作順序を示す図である。
（１）    １番のユーザ１１から２番のユーザ１１への切換
（２）    ２番のユーザ１１からｎ番のユーザ１１への切換
（３）    ｎ番のユーザ１１から１番のユーザ１１への切換
（４）    １番のユーザ１１から２番のユーザ１１への切換
このように、表示装置１７を使用するのは、一人のユーザ１１のみであるが、表示を割当られていないユーザシェル１８を記憶した作業領域１６も主記憶部１３上に残留しているので、切換前の状態で直ちに処理を再開できる。
【００４２】
また、各ユーザ１１のユーザシェル１８においては、他のユーザ１１に表示装置１７の占有権が移動したとしても、表示装置１７を使用しない業務をそのままバックタスクとして継続して実行できる。
【００４３】
なお、入力装置１２上における表示装置１７の占有ユーザの切換指示の具体的入力操作としては、
（１）  特定のホットキー操作による切換
（２）  コマンド（命令）入力による切換
（３）  ウインドウシステムのメューからの選択
（４）  画面内のガイダンスエリアからの選択
等がある。
【００４４】
また、占有ユーザの切換指示の際、復帰するユーザ１１に対してはパスワードを入力することにより、切換に伴うセキュリティ低下を未然に防止できる。
このように、本発明の第１実施形態の計算機の表示占有ユーザ切換装置においては、記憶装置１７の占有ユーザの切換を行った後もユーザ１１のユーザシエル１８は主記憶部１３上に残るため、再切換によりユーザ１１は切換前の状態から作業を再開することができる。
【００４５】
また、待機中のユーザ１１のユーザシエル１８も主記憶部１３上に残っているため、表示装置１７に依存しない処理はバックタスクとして処理を継続できる。
さらに各ユーザ１１の作業領域１６は主記憶部１３上においてユーザ毎に固有に確保されるので、異なる環境、例えば異なるウインドウシステムで実行する事が可能である。
【００４６】
具体的な例として、ウインドウシステム上でワープロソフトを使用して文章を作成している場合、一般的な計算機では、他のユーザ１１がこの計算機を使用する時は、ワープロソフトで作成中の文書をＨＤＤ等の補助記憶装置に保存してこのワープロソフトを終了し、かつウインドウシステムを終了してから他のユーザ１１にこの計算機を明け渡す。
【００４７】
そして、元のユーザ１１が文書の作成を再開するためには、他のユーザ１１がウインドウシステムを終了した後にウインドウシステムを立ち上げて、ワープロソフトを実行し、作成中の文書を補助記憶装置から主記憶部上に復元する必要がある。
【００４８】
しかし、第１実施形態装置においては、他のユーザ１１が表示装置１７を使用する場合、ユーザ１１の切換操作だけで他のユーザ１１はこの計算機を使用することができる。元のユーザ１１が文書作成を再開する場合もユーザ１１を切換えるだけで、前の状態から文書作成を再開できる。また、他のユーザ１１に切換られた期間中に表示装置１７を使用しない印刷等を実行することもできる。
【００４９】
また、一つの計算機において、この計算機に常駐する複数の業務が稼働している場合、操作する端末は業務の数だけ必要になるが、入力処理を平行に行う必要がなければ、本実施形態装置を使用することで、１台の端末で済むことになる。
【００５０】
（第２実施形態）
図７は本発明の第２実施形態の表示占有ユーザ切換装置が組込まれた計算機の概略構成図である。図１に示す第１実施形態の表示占有ユーザ切換装置が組込まれた計算機と同一部分には同一符号が付してある。したがって、重複する部分の詳細説明は省略されている。
【００５１】
この第２実施形態の表示占有ユーザ切換装置においては、表示装置１７が他のユーザ１１に切換えられたユーザ１１の作業領域１６のユーザシェル１８及びこの時点で作成されている表示情報２１を退避するための退避領域２３が形成されたＨＤＤ等の補助記憶装置２２が設けられている。
【００５２】
このような構成の表示占有ユーザ切換装置において、例えば、前述した図４の場合と同様に、１番のユーザ１１が表示装置１７を占有している状態において、１番のユーザ１１が２番のユーザ１１を切換先に指定した表示装置１７の占有ユーザの切換指示を入力装置１２を介してコンピュータ本体へ入力すると、ユーザ管理プロセス１５が起動して、図８（ａ）に示すように、これ以降、入力装置１２を介して入力される各種指示や情報の受渡し先の作業領域１６を１番の作業領域１６から２番の作業領域１６へ切換える。
【００５３】
そして、この第２実施形態装置においては、表示装置１７に対する占有状態から解除されて、待機状態に移行した１番目の作業領域１６のユーザシェル１８は、補助記憶装置２２の退避領域２３へ退避される。
【００５４】
これにより、主記憶部１３の１番の作業領域１６にはなにも記憶されていないので、この１番の作業領域１６を他の用途。例えば現在実行中の２番の作業領域１６のユーザシェル１８の各業務処理のワーク領域として使用することができる。現在、ユーザシェル１８が実行中でない３番の作業領域１６のユーザシェル１８も同様に、補助記憶装置２２の退避領域２３へ退避されている。
【００５５】
したがって、現在、表示装置１７を占有中のユーザ１１の作業領域１６のユーザシェル１８は、他のユーザ１１の作業領域１６もワーク領域として使用でき、主記憶部１３の使用効率を大幅に向上できる。
【００５６】
但し、補助記憶装置２２の退避領域２３に退避中のユーザシェル１８を動作させることはできないので、バックタスク処理は実施不可能である。
表示装置１７の占有ユーザ１１を元に戻す場合は、１番のユーザ１１を指定した切換指示を入力装置１２を介してコンピュータ本体へ入力すると、ユーザ管理プロセス１５が起動して、図８（ｂ）に示すように、補助記憶装置２２の退避領域２３に退避状態の１番のユーザシェル１８を主記憶部１３の１番の作業領域１６へ復帰させる。そして、これ以降、入力装置１２を介して入力される各種指示や情報の受渡し先の作業領域１６を２番の作業領域１６から１番の作業領域１６へ切換える。
【００５７】
そして、今度は、待機状態に移行した２番目の作業領域１６のユーザシェル１８は、補助記憶装置２２の退避領域２３へ退避される。
（第３実施形態）
図９は本発明の第３実施形態の表示占有ユーザ切換装置が組込まれた計算機の概略構成図である。図７に示す第２実施形態の表示占有ユーザ切換装置が組込まれた計算機と同一部分には同一符号が付してある。したがって、重複する部分の詳細説明は省略されている。
【００５８】
この第３実施形態の表示占有ユーザ切換装置においては、主記憶部１３に１つの作業領域１６が形成されているのみである。そして、表示装置１７は、この１つの作業領域１６のみに占有（接続）されている。そして、この作業領域１６は１番からｎ番までの全部のユーザ１１が共通して使用する。
【００５９】
このような構成の表示占有ユーザ切換装置において、入力装置１２を介して１番のユーザ１１から２番のユーザ１１へ表示装置１７の占有ユーザを切換える占有ユーザの切換指令が入力されると、現在の作業領域１６の１番のユーザ１１のユーザシェル１８を補助記憶装置２２の退避領域２３へ退避させ、この退避領域２３に退避している２番のユーザ１１のユーザシェル１８を主記憶部１３の作業領域１６へ復帰させる。よって、これ以降、２番目のユーザ１１に対する処理業務が作業領域１６で実行され、処理過程の表示情報２１が表示装置１７に表示出力する。
【００６０】
このように構成された第３実施形態装置においても、先の第２実施形態装置とほぼ同様の効果を得ることができる。さらに、この第３実施形態装置においては、表示装置１７は、一つの作業領域１６のみに接続されていればよく、接続先の作業領域１６を変更する必要がない。
【００６１】
（他のシステムへの発展）
図１０は、本発明の計算機の表示占有ユーザ切換装置の機能をクライアント・サーバシステムに発展させた例を示す図である。また、図１１はこのクライアント・サーバシステムにおいて、業務実行クライアントの切換動作を示す模式図である。
【００６２】
このクライアント・サーバシステムにおいて待機中のユーザを他の表示装置  （クライアント）で使用する方法が考えられる。すなわち、１番のクライアント３０を使用して所定の業務を実行していたユーザがｎ番のクライアント３０の設置位置へ移動して、このｎ番のクライアント３０で先に実行していた業務を継続して実施する。
【００６３】
１番のクライアント３０で作業を行っていたユーザの作業領域は、該当ユーザからクローズ指示によりクローズされる。このクローズされた１番のクライアント３０のユーザの作業領域はサーバ３１に転送され、このサーバ３１によって管理される。
【００６４】
次にｎ番のクライアント３０から１番のクライアント３０で使用していたユーザの作業領域１６のオープン指示を行うことで、サーバ３１からｎ番のクライアント３０に対して、サーバ３１から該当ユーザに対応する作業領域１６が転送されてこのｎ番のクライアント３０でオープンされる。
【００６５】
これにより、１番のクライアント３０で行っていた作業を該当クライアント３０で終了することなく、ｎ番のクライアント３１でその続きを実行することができる。
【００６６】
このようなクライアント・サーバシステムにおいて、作業中のファイル等の資源をサーバ３１に置くことで資源間の排他を確保できる。また、サーバ３１を使用しない場合、フアイルごと他のクライアント３０へ転送してしまう方法もある。さらに、ファイル転送前後のクライアント３０の環境が異なる場合は、動作しない業務（アプリケーシヨン）は表示画面上においてアイコン化してしまう方法がある。
【００６７】
また、場所を移動しながらクライアント３０を使用する場合に有効である。例えば、ユーザが自席のクライアント３０を作業しながら、図書室に資料を調べに行く場合、現状では図書室から資料を持ってきて自席で作業を行うか、自席のクライアント３０を終了して作業中のフアイルを全てサーバ３１に送り、図書室のクライアント３０にサーバ３１のフアイルを取り込んで作業を再開するなどの作業を実施する必要がある。
【００６８】
しかし、図１１のクライアント・サーバシステムにおいては、ユーザは、自席のクライアント３０をクローズしてから図書室に行き、図書室のクライアント３０で自己の作業内容の業務をオープンすることで、中断せずに資料を参照しながら作業を行うことができる。
【００６９】
【発明の効果】
以上説明したように、本発明の計算機の表示占有ユーザ切換装置においては、表示装置を占有するユーザを任意に変更可能としている。したがって、ユーザ相互間のセキュリティを確保した状態で、複数のユーザが自己の実行途中の業務を強制終了させることなく、必要な時に他のユーザに表示装置の占有権を渡すことができ、かつ、他のユーザの使用が終了した時点で、中断中の業務を再開することができ、計算機の操作性を向上できると共に、計算機を効率的に使用できる。
【図面の簡単な説明】
【図１】本発明の第１実施形態の表示占有ユーザ切換装置が組込まれた計算機の概略構成を示す図
【図２】同第１実施形態の表示占有ユーザ切換装置の要部構成を示すブロック図
【図３】同第１実施形態の表示占有ユーザ切換装置におけるユーザ管理プロセスの動作を示す流れ図
【図４】同第１実施形態の表示占有ユーザ切換装置のユーザ切換動作を説明するための図
【図５】同じく同第１実施形態の表示占有ユーザ切換装置のユーザ切換動作を説明するための図
【図６】同じく同第１実施形態の表示占有ユーザ切換装置のユーザ切換動作を説明するための図
【図７】本発明の第２実施形態の表示占有ユーザ切換装置が組込まれた計算機の概略構成を示す図
【図８】同第２実施形態の表示占有ユーザ切換装置のユーザ切換動作を説明するための図
【図９】本発明の第３実施形態の表示占有ユーザ切換装置が組込まれた計算機の概略構成を示す図
【図１０】本発明の表示占有ユーザ切換装置を発展させたクライアント・サーバシステムを示す構成図
【図１１】同クライアント・サーバシステムにおけるクライアント相互間の業務移転を説明するための図
【図１２】一般的な計算機を示す模式図
【符号の説明】
１１…ユーザ
１２…入力装置
１３…主記憶部
１４…コアシステム
１５…ユーザ管理プロセス
１６…作業領域
１７…表示装置
１８…ユーザシェル
１９…ウインドウシステム
２０…アプリケーション・プログラム
２１…表示情報
２２…補助記憶装置
２３…退避領域
３０…クライアント
３１…サーバ
【図１】
0003560762.tif 000002
【図２】
0003560762.tif 000003
【図３】
0003560762.tif 000004
【図４】
0003560762.tif 000005
【図５】
0003560762.tif 000006
【図６】
0003560762.tif 000007
【図７】
0003560762.tif 000008
【図８】
0003560762.tif 000009
【図９】
0003560762.tif 000010
【図１０】
0003560762.tif 000011
【図１１】
0003560762.tif 000012
【図１２】
0003560762.tif 000013